(57)【要約】【課題】従来技術では、撮像装置から画像データを送信する場合には、画像データの転送先の電子機器が起動状態である必要がある。すなわち、ユーザが撮像装置にて撮像した画像を他の電子機器に送信しようとするときには、該電子機器が通常電源供給状態である必要があり、電源待機状態である場合にはユーザがリモコンや電子機器に備えられたボタン等で該電子機器の電源を通常電源供給状態にした後に転送処理を開始しなければならず、利便性に劣るという問題が生じていた。【解決手段】上記課題を解決するために、本発明では、電源待機状態であっても、画像の転送処理と同時に通常電源供給状態へと状態遷移可能な記録装置及び記録再生システムの制御方法を提供する。【選択図】          図２
2008098850.tif 000002
【特許請求の範囲】
【請求項１】
電源待機状態と、通常電源供給状態とを切換可能な電源部と、
記録部と、
通信部と、
通信部にて受信した情報が記録部に記録されるべき情報であるか判断する第一判断部と、
第一判断部での判断結果が記録されるべき情報であるとの判断結果であり、電源部の状態が電源待機状態である場合には、電源部の状態を通常電源供給状態に切り換える制御をする第一制御部と、
を有する記録装置。
【請求項２】
第一判断部での判断結果が記録されるべき情報であるとの判断結果である場合には受信した情報を記録部に記録させる制御をする第二制御部をさらに有する請求項１に記載の記録装置。
【請求項３】
通信部は、受信した情報又は記録されている情報を表示すべきディスプレイ装置と通信するためのディスプレイ通信手段を有し、
第一判断部での判断結果が記録されるべき情報であるとの判断結果である場合にはディスプレイ通信手段を介して接続されているディスプレイ装置の電源を制御する第三制御部をさらに有する請求項１又は２に記載の記録装置。
【請求項４】
第一判断部での判断結果が記録されるべき情報であるとの判断結果である場合にはディスプレイ通信手段を介して接続されているディスプレイ装置の入力ラインを制御する第四制御部をさらに有する請求項３に記載の記録装置。
【請求項５】
電源待機状態と、通常電源供給状態とを切換可能な電源部と、
記録部と、
通信部と、
通信部にて受信した情報が記録部に記録されるべき情報の送信元の電子機器のボタン操作に基づくものであるか判断する第二判断部と、
第二判断部での判断結果が該当するボタン操作に基づくものであるとの判断結果であり、電源部の状態が電源待機状態である場合には、電源部の状態を通常電源供給状態に切り換える制御をする第五制御部と、
を有する記録装置。
【請求項６】
電源待機状態と、通常電源供給状態とを切換可能な電源部と、
記録部と、
通信部と、
通信部にて受信した情報が記録部に記録されるべき情報の送信元の電子機器の記憶容量が所定の条件を満たしたことに基づく情報であるか判断する第三判断部と、
第三判断部での判断結果が所定の条件を満たしたことに基づく情報であるとの判断結果であり、電源部の状態が電源待機状態である場合には、電源部の状態を通常電源供給状態に切り換える制御をする第六制御部と、
を有する記録装置。
【請求項７】
記録再生システムの制御方法であって、
記録装置で受信した情報が記録領域に記録されるべき情報であるか判断する第一判断ステップと、
前記第一判断ステップでの判断結果が記録領域に記録されるべき情報であるとの判断結果であり、電源の状態が電源待機状態である場合には、電源の状態を通常電源供給状態に切り換える電源状態切換ステップと、
を有する記録再生システムの制御方法。
【請求項８】
前記第一判断ステップでの判断結果が記録領域に記録されるべき情報であるとの判断結果である場合には受信した情報を記録領域に記録させる記録ステップをさらに有する請求項７に記載の記録再生システムの制御方法。
【請求項９】
前記記録装置が、受信した情報又は記録されている情報を表示すべきディスプレイ装置と通信するためのディスプレイ通信手段を介して接続されており、
前記第一判断ステップでの判断結果が記録されるべき情報であるとの判断結果である場合にはディスプレイ通信手段を介して接続されているディスプレイ装置の電源を制御するディスプレイ装置電源制御ステップをさらに有する請求項７又は８に記載の記録再生システムの制御方法。
【請求項１０】
前記第一判断ステップでの判断結果が記録されるべき情報であるとの判断結果である場合にはディスプレイ通信手段を介して接続されているディスプレイ装置の入力ラインを制御する入力ライン制御ステップをさらに有する請求項９に記載の記録再生システムの制御方法。
【発明の詳細な説明】
【技術分野】
【０００１】
本発明は、電子データを記録可能な記録装置の電源制御に関する技術である。
【背景技術】
【０００２】
デジタルカメラや携帯電話などの撮像装置で撮像した画像をパーソナルコンピュータ（以下、パソコン）に接続されたモニターやテレビ受信機のディスプレイに表示するためには、撮像した画像データをメモリカード等に記憶してこれをパソコンやテレビ受信機のメモリカードスロットに差し込むことで画像データを移動させる必要がある。また、撮像装置とパソコンやテレビ受信機とを有線又は無線にて通信可能な状態とし、パソコンの記録領域やテレビ受信機の内部又は外部接続された記録領域に転送された後にパソコンのモニターやテレビ受信機のディスプレイに表示させることができる。
【０００３】
例えば、テレビ受信機にＤＶＤレコーダやＨＤＤレコーダが接続されている場合には、ＵＳＢケーブル等を用いて撮像装置とこれらの記録装置とを接続して画像データを転送し、該記録装置にケーブルを介して接続されているテレビ受信機のディスプレイに表示することができる。特許文献１の画像処理システムでは、撮像装置にて撮像した画像データを処理装置に赤外線通信にて送信し、画像データの転送先の処理装置においてカラー化処理を行い、処理装置から再度撮像装置へ赤外線通信で画像データを送信する技術が開示されている。
【特許文献１】特開２００２−２０９２２５号公報
【発明の開示】
【発明が解決しようとする課題】
【０００４】
しかしながら、上記技術では、撮像装置から画像データを送信する場合には、画像データの転送先の電子機器が起動状態である必要がある。すなわち、ユーザが撮像装置にて撮像した画像を他の電子機器に送信しようとするときには、該電子機器が通常電源供給状態である必要があり、電源待機状態である場合にはユーザがリモコンや送信先の電子機器本体に備えられたボタン等で該電子機器の電源を通常電源供給状態にした後に転送処理を開始しなければならず、利便性に劣るという問題が生じていた。
【０００５】
そこで、本発明では、電源待機状態であっても、画像の転送処理と同時に通常電源供給状態へと状態遷移可能な記録装置及び記録再生システムの制御方法を提供する。
【課題を解決するための手段】
【０００６】
上記課題を解決するために、第一発明では、電源待機状態と、通常電源供給状態とを切換可能な電源部と、記録部と、通信部と、通信部にて受信した情報が記録部に記録されるべき情報であるか判断する第一判断部と、第一判断部での判断結果が記録されるべき情報であるとの判断結果であり、電源部の状態が電源待機状態である場合には、電源部の状態を通常電源供給状態に切り換える制御をする第一制御部と、を有する記録装置を提供する。また、第二発明では、前記第一判断部での判断結果が記録されるべき情報であるとの判断結果である場合には受信した情報を記録部に記録させる制御をする第二制御部をさらに有する第一発明に記載の記録装置を提供する。第三発明では、前記通信部は、受信した情報又は記録されている情報を表示すべきディスプレイ装置と通信するためのディスプレイ通信手段を有し、第一判断部での判断結果が記録されるべき情報であるとの判断結果である場合にはディスプレイ通信手段を介して接続されているディスプレイ装置の電源を制御する第三制御部をさらに有する第一発明又は第二発明に記載の記録装置を提供する。また、前記第一判断部での判断結果が記録されるべき情報であるとの判断結果である場合にはディスプレイ通信手段を介して接続されているディスプレイ装置の入力ラインを制御する第四制御部をさらに有する第三発明に記載の記録装置を提供する。
【０００７】
第五発明では、電源待機状態と、通常電源供給状態とを切換可能な電源部と、記録部と、通信部と、通信部にて受信した情報が記録部に記録されるべき情報の送信元の電子機器のボタン操作に基づくものであるか判断する第二判断部と、第二判断部での判断結果が該当するボタン操作に基づくものであるとの判断結果であり、電源部の状態が電源待機状態である場合には、電源部の状態を通常電源供給状態に切り換える制御をする第五制御部と、を有する記録装置を提供する。六発明では、電源待機状態と、通常電源供給状態とを切換可能な電源部と、記録部と、通信部と、通信部にて受信した情報が記録部に記録されるべき情報の送信元の電子機器の記憶容量が所定の条件を満たしたことに基づく情報であるか判断する第三判断部と、第三判断部での判断結果が所定の条件を満たしたことに基づく情報であるとの判断結果であり、電源部の状態が電源待機状態である場合には、電源部の状態を通常電源供給状態に切り換える制御をする第六制御部と、を有する記録装置を提供する。
【０００８】
第七発明では、記録再生システムの制御方法であって、記録装置で受信した情報が記録領域に記録されるべき情報であるか判断する第一判断ステップと、前記第一判断ステップでの判断結果が記録領域に記録されるべき情報であるとの判断結果であり、電源の状態が電源待機状態である場合には、電源の状態を通常電源供給状態に切り換える電源状態切換ステップと、を有する記録再生システムの制御方法を提供する。第八発明では、前記第一判断ステップでの判断結果が記録領域に記録されるべき情報であるとの判断結果である場合には受信した情報を記録領域に記録させる記録ステップをさらに有する第七発明に記載の記録再生システムの制御方法を提供する。第九発明では、前記記録装置が、受信した情報又は記録されている情報を表示すべきディスプレイ装置と通信するためのディスプレイ通信手段を介して接続されており、前記第一判断ステップでの判断結果が記録されるべき情報であるとの判断結果である場合にはディスプレイ通信手段を介して接続されているディスプレイ装置の電源を制御するディスプレイ装置電源制御ステップをさらに有する請求項７又は８に記載の記録再生システムの制御方法を提供する。第十発明では、前記第一判断ステップでの判断結果が記録されるべき情報であるとの判断結果である場合にはディスプレイ通信手段を介して接続されているディスプレイ装置の入力ラインを制御する入力ライン制御ステップをさらに有する第九発明に記載の記録再生システムの制御方法を提供する。
【発明の効果】
【０００９】
以上のような構成をとる本発明の記録装置では、電源部が電源待機状態であるときにユーザが記録装置に対して電子データの転送処理を行った場合でも、電子データの受信とともに電源部の状態が通常電源供給状態となるため、ユーザが自ら記録装置を通常電源供給状態とする手間が省け、ユーザの煩わしさを低減することができる。
【発明を実施するための最良の形態】
【００１０】
本発明を実施するための最良の形態について、図面を用いて詳細に説明する。なお、本発明はこれら実施の形態になんら限定されるものではなく、その要旨を逸脱しない範囲において種々なる態様で実施しうる。なお、以下の実施形態と請求項の関係は次のとおりである。実施形態１は主として請求項１、２、７、８などについて説明する。実施形態２は主として請求項３、４、９、１０などについて説明する。実施形態３は主として請求項５、６などについて説明する。
【００１１】
≪実施形態１≫（実施形態１の概念）実施形態１について説明する。図１に本実施形態における記録装置の概念を説明する図を示す。図１では、本記録装置（０１０１）と、本記録装置へ情報を送信するデジタルカメラや携帯電話等の他の電子機器（０１０２）を例示している。
【００１２】
本記録装置（０１０１）には、赤外線受光素子などの通信部（０１０３）を備えておき、通信部は、記録装置（０１０１）の電源部が電源待機状態（電源ＯＦＦの状態）であっても常に受信可能状態である。そして、通信部が、他の電子機器（０１０２）から送信された画像データ等の情報を受信すると、電源部を通常電源供給状態（電源ＯＮの状態）とし、記録装置を通常の起動状態とする。そして、撮像装置から送信された情報は記録部に記録される。このため、ユーザは、他の電子機器からデータを送信する動作だけで、記録装置の起動及び情報の転送、記録を同時に行うことができる。
【００１３】
（実施形態１の構成）図２に本実施形態にかかる記録装置の機能ブロック図の一例を示す。本実施形態にかかる「記録装置」（０２００）は、「電源部」（０２０１）と、「記録部」（０２０２）と、「通信部」（０２０３）と、「第一判断部」（０２０４）と、「第一制御部」（０２０５）とからなる。また、さらに「第二制御部」（０２０６）を有していても良い。
【００１４】
（実施形態１の構成の説明）「記録装置」（０２００）とは、少なくとも受信した情報を記録可能な機能を有する装置である。本実施形態における記録装置は、ＤＶＤレコーダ、ＨＤＤレコーダ、ノートパソコン、ディスクトップパソコン、ＭＤ／ＣＤ／ＤＶＤ／ＨＤＤコンポ、ＨＤＤ内蔵カーナビゲーション等の電子データを記録可能な電子機器が該当する。また、記憶媒体を備えていれば、テレビ受信装置等も該当するし、これ以外の冷蔵庫や電子レンジ等のデジタル家電も該当しうる。
【００１５】
「電源部」（０２０１）は、電源待機状態と、通常電源供給状態とを切換可能に構成されている。電源待機状態とは、記録装置内の時計機能や後述する第一判断部等の最低限の機能のみに電源を供給し、それ以外の機能への電源を供給しない又は電源の供給量を減じている状態をいう。電源待機状態では、利用可能な機能が制限され、一部の機能のみが起動している。通常電源供給状態とは、記録装置を通常作動させるために必要な機能に電源が供給された状態をいう。一般的な記録装置では、記録装置の電源ケーブルがコンセント等に接続された状態で、「ＰＯＷＥＲ」スイッチがＯＦＦの状態が電源待機状態、ＯＮの状態が通常電源供給状態となる。
【００１６】
「記録部」（０２０２）は、電子データである情報を記録するように構成されている。記録部は、例えば、ＨＤＤ、ＲＡＭ、ＤＶＤ、ＣＤ、ＭＯ、ＦＤ、フラッシュメモリ等記録を保持可能であれば良いが、現在はＨＤＤが多用されている。
【００１７】
「通信部」（０２０３）は、他の電子機器からの情報を受信するように構成されている。通信部にて無線で通信が行われる場合の通信方式の具体例は、ＩｒＤＡ（Ｉｎｆｒａｒｅｄ Ｄａｔａ Ａｓｓｏｃｉａｔｉｏｎ）やＩｒＳｉｍｐｌｅなどの赤外線通信、Ｂｌｕｅｔｏｏｔｈ（登録商標）、Ｗｉｒｅｌｅｓｓ ＵＳＢ、ＮＦＣ（Ｎｅａｒ Ｆｉｅｌｄ Ｃｏｍｍｕｎｉｃａｔｉｏｎ）などである。また、有線で通信が行われる場合には、通信部は、ＵＳＢケーブルや専用ケーブル等で接続可能に構成される。通信部は、いずれの電子機器から情報を受信することとしても良い。情報の送信元の電子機器としては、デジタルカメラ、携帯電話、ＰＤＡ、携帯型音楽プレイヤー、携帯型ゲームプレイヤーなどである。
【００１８】
「第一判断部」（０２０４）は、通信部にて受信した情報が記録部に記録されるべき情報であるか判断するように構成されている。第一判断部は電源部（０２０１）が電源待機状態であるときも通常稼動し、通信部にて受信した情報が記録部に記録されるべき情報であるか判断する。通信部にて受信した情報とは、静止画像データ、動画像データ、音楽データ、テキストデータ、メタデータ、アドレスデータ、その他アプリケーションファイルデータ等の電子データをいう。記録されるべき情報とは、記録部に記録可能な情報や記録装置にて利用可能な情報をいう。
【００１９】
記録可能な情報とは、記録部に電子データとして記録することができる情報をいう。例えば、記録部に記録できるデータ形式が決まっている場合には、当該データ形式に合致する電子データのみが記録されるべき情報に該当する。第一判断部では、通信部にて受信した情報が、当該データ形式に合致する情報である場合に、記録部に記録されるべき情報であると判断する。
【００２０】
記録装置にて利用可能な情報とは、記録部に記録することができる電子データのうちで、記録装置にて活用することができる情報をいう。例えば、記録装置にて利用できるデータの種類が画像データのみである場合には、記録部にテキストデータ等を記録することは可能であっても、第一判断部では、画像データのみを記録されるべき情報であると判断する。
また、記録されるべき情報を、特定の通信プロトコルや通信規格にて制限しても良い。例えば、図１で示したように、通信部が赤外線受光素子であれば、記録されるべき情報は、ＩｒＤＡやＩｒＳｉｍｐｌｅなどの赤外線通信規格で送信された情報が該当する。
【００２１】
「第一制御部」（０２０５）とは、前記第一判断部での判断結果が記録されるべき情報であるとの判断結果であり、電源部の状態が電源待機状態である場合には、電源部の状態を通常電源供給状態に切り換える制御をするように構成されている。第一判断部での判断結果が、記録されるべき情報であると判断されたときに、電源部の状態が通常電源供給状態であれば、第一制御部では特段の動作をしない。しかし、電源部の状態が電源待機状態である場合には、電源部の状態を通常電源供給状態とし、記録装置が通常起動された状態とする。記録装置が通常起動された状態とは、いわゆる一般的な記録装置の「POWER」スイッチ等がＯＮの状態をいう。すなわち、第一判断部での判断結果が記録されるべき情報であるとの判断結果である場合には、第一制御部では、記録装置を操作可能なリモコン機器上の「ＰＯＷＥＲ」スイッチが押下されて、「ＰＯＷＥＲ」をＯＮにする命令を受け取った場合の処理と同様の処理を行う。
【００２２】
「第二制御部」（０２０６）とは、前記第一判断部での判断結果が記録されるべき情報であるとの判断結果である場合には受信した情報を記録部に記録させる制御をするように構成されている。第一判断部での判断結果が記録されるべき情報であるとの判断結果である場合には、前記第一制御部（０２０５）にて記録装置が通常電源供給状態となり、さらに、第二制御部にて通信部にて受信した情報を記録部（０２０２）に記録する。すなわち、第一判断部での判断結果が記録されるべき情報であるとの判断結果である場合には、電源部の電源状態切換動作が行われるとともに記録部での記録動作が行われるため、ユーザは、「ＰＯＷＥＲ」スイッチを押下するなどの、電源部を電源待機状態から通常電源供給状態へ切り換える動作、及び、状態を切り換えた後に記録装置へ記録する処理を開始させるための動作を省略することができる。
【００２３】
（実施形態１の具体例）図３に本実施形態の記録装置のハードウェア構成の一例を示す。本記録装置の構成要素である各部は、ハードウェアとハードウェア上で実行可能なソフトウェアからなる。ハードウェアとしては、演算処理を行うＣＰＵ（０３０１）、ソフトウェアを一時的に展開したり各データを一時的に記録したりするためのＲＡＭ（０３０２）、読取専用のプログラムなどを記録するためのＲＯＭ（０３０３）、電子データ等の情報を記録するためのＨＤＤ（０３０４）、ＩｒＤＡやＩｒＳｉｍｐｌｅなどの赤外線規格に準じた信号を受信する赤外線受光部（０３０５）、商用電源に接続されたＡＣアダプタに接続され、各構成部品に電源を供給するための電源ユニット（０３０６）と、これらの各部を接続するためのシステムバス（０３０７）にて構成される。
【００２４】
また、ソフトウェアとしては、赤外線受光部に受信された情報が、ＲＯＭに記録されるべき情報であるかを判断する第一判断プログラム（０３０８）、第一判断プログラムの判断結果に応じて電源ユニットの状態を切り換える第一制御プログラム（０３０９）等である。また、赤外線ユニットにて受信した情報をＨＤＤに記録する制御を行う第二制御プログラム（０３１０）を有していても良い。これらのプログラムは、ＲＯＭ（０３０３）の所定のアドレスＡ１、Ａ２、Ａ３に格納されており、必要に応じてＲＡＭ（０３０２）の所定のアドレスａ１、ａ２、ａ３に展開されて、ＣＰＵ（０３０１）による演算処理により動作する。
【００２５】
本記録装置の構成要件である電源部は電源ユニットに該当し、記録部はＨＤＤ又はＲＡＭに該当し、通信部は赤外線受光部が該当し、第一判断部は第一判断プログラム及び該プログラムを動作させるためのＣＰＵ及びＲＡＭ及びＲＯＭに該当し、第一制御部は第一制御プログラム及び該プログラムを動作させるためのＣＰＵ及びＲＡＭ及びＲＯＭに該当し、第二制御部は第二制御プログラム及び該プログラムを動作させるためのＣＰＵ及びＲＡＭ及びＲＯＭに該当する。なお、図３に示した記録装置は一例であり上記構成に限られない。また、各プログラムは、同様の機能を有する回路にて構成されていても良い。
【００２６】
以下、図３に即して本記録装置の動作を説明する。本記録装置の動作を説明する前提として、電源ユニットは、電源待機状態と通常電源供給状態とを切換可能であるとする。状態の切換は電源ユニット内部における電源状態切換回路のスイッチング動作などにより行うことができる。本動作を説明する上で、電源ユニットの初期状態が電源待機状態であるとする。
【００２７】
まず、赤外線受光部にて様々な周波数帯の電波が混在している空間中からデジタルカメラや携帯電話などの端末から送信された赤外線が感知されると、第一判断プログラムでは、これを記録領域に記録すべき情報であるか否かを判断する。ＲＯＭのアドレスＡ１に格納されている第一判断プログラムは、ＲＡＭのワーク領域ａ１に展開されており、常に起動状態で赤外線受光部を監視している。仮に、ＩｒＤＡ方式又はＩｒＳｉｍｐｌｅ方式にて送信された情報は全て記録領域に記録されるべき情報であると定められていた場合には、当該方式の情報を赤外線受光部にて受信すると、第一判断プログラムではこれを検知し、受信された情報が記録領域に記録すべき情報であると判断する。また、上記の場合の他にも、記録領域に記録されるべき情報の種類、容量、拡張子、フォーマット、その他電子データに関する属性等が定められている場合には、これらの条件を示す情報を判別条件情報としてＲＯＭに格納しておき、赤外線受光部で情報を受信すると、該情報がこの判別条件情報に定められた条件に合致するか否かが第一判断プログラムで判断される。例えば、特定のファイル形式の画像データのみを記録領域に記録すべき情報であると定める場合には、当該画像データのファイル形式を示す拡張子等が判別条件情報としてＲＯＭに格納され、第一判別プログラムでは受信した情報が当該ファイル形式を満たす場合にのみ記録領域に記録すべき情報であると判断する。
【００２８】
第一判断プログラムにて記録領域に記録すべき情報であると判断されると、即座にＲＯＭのアドレスＡ２に格納されている第一制御プログラムがＲＡＭのアドレスａ２に展開されて起動される。そして、電源ユニットの電源状態切換回路のスイッチング動作により、電源ユニットを通常電源供給状態へ切り換える。第二制御プログラムを有している場合には、電源ユニット通常電源供給状態となると、ＲＯＭのアドレスＡ３に格納されている第二制御プログラムがＲＡＭのアドレスａ３に展開されて起動される。第二制御プログラムは、赤外線受光部にて受信した電子データである情報を一時的にＲＡＭのデータ領域に格納し、これを順次ＨＤＤの所定のアドレスに格納する。
【００２９】
以上のような構成を有する記録装置としてＩｒＳｉｍｐｌｅ受光部を備えたＤＶＤレコーダやビデオレコーダなどのレコーダを想定し、記録装置に情報を送信する手段としてＩｒＳｉｍｐｌｅ送信部を備えたデジタルカメラや携帯電話などの携帯端末を想定した場合について、より具体的に説明する。
【００３０】
携帯電話やデジタルカメラにて撮影した画像を画像データとしてレコーダに送信する場合、従来技術のレコーダへ送信するためには、当該レコーダの電源がＯＮであるかを確認し、ＯＮでなければこれをＯＮにし、その後携帯端末での送信処理を行う。しかし、本発明のレコーダへ画像データを送信する場合には、レコーダの電源がＯＮ（電源供給状態）であるかＯＦＦ（電源待機状態）であるかを気にせずにユーザはＩｒＳｉｍｐｌｅ送信部にてレコーダへ画像データを送信することができる。レコーダでは、電源がＯＮの場合には、ＩｒＳｉｍｐｌｅ受光部にて受信した画像データをＨＤＤなどの記録部に記録する。また、レコーダの電源がＯＦＦの場合には、レコーダは第一判断部や第一制御部により自動的に電源がＯＮとなる。そして、第二制御部により、受信した情報が記録領域に格納される。このため、ユーザは、携帯端末の操作だけで、記録装置の電源状態にかかわらず、携帯端末の画像データを記録装置へ送信し、かつ記録することができる。
【００３１】
（実施形態１の処理の流れ）図４を用いて本記録装置の処理の流れを説明する。本記録装置では、まず、通信部にて情報を受信する（Ｓ０４０１）と、受信した情報が記録領域に記録されるべき情報であるか判断する（Ｓ０４０２：判断ステップ）。前記第一判断ステップでの判断結果が記録領域に記録されるべき情報であるとの判断結果であると判断された場合には、電源の状態が電源待機状態であるかを判断する（Ｓ０４０３）。電源の状態が電源待機状態である場合には、電源の状態を通常電源供給状態に切り換える（Ｓ０４０４：電源状態切換ステップ）。さらに、受信した情報を記録領域に記録させる（Ｓ０４０５：記録ステップ）こととしても良い。
【００３２】
（実施形態１の効果）以上のような構成をとる本実施形態の記録装置では、電源部が電源待機状態であるときにユーザが記録装置に対して電子データの転送処理を行った場合でも、電子データの受信とともに電源部の状態が通常電源供給状態となるため、ユーザが自ら記録装置を通常電源供給状態とする手間が省け、ユーザの煩わしさを低減することができる。
【００３３】
≪実施形態２≫（実施形態２の概念）実施形態２について説明する。図５に本実施形態における記録装置の概念を示す。図５では、本記録装置（０５０１）と、記録装置へ情報を送信するデジタルカメラや携帯電話等の他の電子機器（０５０２）と、記録装置にケーブル（０５０５）を介して接続されたディスプレイ装置（０５０３）を例示している。
【００３４】
本記録装置では、図１に示す実施形態１の概念と同様に、記録装置（０５０１）の通信部（０５０４）にて画像データ等の情報を受信すると、電源部が通常電源供給状態となり、記録部に情報が記録される。さらに、ケーブルにて接続されたディスプレイ装置に対して、記録装置からディスプレイ装置の電源を制御する信号又は入力ラインを制御する情報を送信する。また、これらの信号の両方を送信しても良い。当該制御信号を受信すると、ディスプレイ装置では、電源がＯＦＦの場合には電源がＯＮとなり、さらには入力ラインが記録装置が接続されているラインに切り換わる。入力ラインが切り換わると、ディスプレイ装置では記録装置から出力された画像等を表示することができるため、記録装置がデジタルカメラや携帯電話から受信した画像を即座に表示することができる。
【００３５】
このため、ユーザは、他の電子機器からデータを送信する動作だけで、記録装置の起動及び情報の転送、記録を同時に行い、さらに、ディスプレイ装置の起動及びディスプレイへ送信したデータの表示をさせ、これを視聴することができる。
【００３６】
（実施形態２の構成）図６に本実施形態にかかる記録装置の機能ブロック図の一例を示す。本実施形態にかかる「記録装置」（０６００）は、「電源部」（０６０１）と、「記録部」（０６０２）と、「通信部」（０６０３）と、「第一判断部」（０６０４）と、「第一制御部」（０６０５）と、「第二制御部」（０６０６）と、「第三制御部」（０６０８）とからなり、「通信部」（０６０３）が「ディスプレイ通信手段」（０６０７）を有する。さらに、「第四制御部」（０６０９）を有していてもよい。ディスプレイ通信手段、第三制御部、第四制御部以外の構成については実施形態１にて説明済みであるため説明を省略する。
【００３７】
（実施形態２の構成の説明）「ディスプレイ通信手段」（０６０７）とは、通信部が有し、受信した情報又は記録されている情報を表示すべきディスプレイ装置と通信するように構成されている。「受信した情報」とは、通信部にて受信した情報である。また、「記録されている情報」とは、通信部にて受信された後に記録部に記録された情報である。「ディスプレイ装置」とは、例えば、液晶ディスプレイ、プラズマディスプレイ、ブラウン管ディスプレイ等のディスプレイを備えた装置であり、ディスプレイのみで構成されているものであっても良いし、ディスプレイ以外の機能を有していても良い。ディスプレイ以外の機能を有しているものとしては、チューナを内蔵したテレビ受信機やノートパソコン等が該当する。
【００３８】
ディスプレイ通信手段では、ディスプレイ装置への制御信号を通信することができる。制御信号とは、後述する第三制御部又は第四制御部における制御命令を含む信号である。ディスプレイ通信手段を介して記録装置からディスプレイ装置へ送信する制御信号は、無線で送信されても良いし、有線で送信されても良い。無線で送信する場合には、ディスプレイ通信手段として、赤外線送信器やＢｌｕｅｔｏｏｔｈ送信器などが利用される。この場合には、ディスプレイ装置側にも無線通信可能となる受信器が必要である。しかし、一般的には、有線で送信する場合が多く、ディスプレイ通信手段としては、ＨＤＭＩ端子やｉ．Ｌｉｎｋ端子を備え、これに応じたケーブルにてディスプレイ装置と接続されることが望ましい。ＨＤＭＩ端子やｉ．Ｌｉｎｋ端子では、ディスプレイ表示装置へ表示したい映像信号や音声信号などを制御信号とともに送信することができる。なお、制御信号を送信するディスプレイ通信手段としてのコントロール端子等とこれに対応するケーブルとでディスプレイ装置と接続し、映像信号や音声信号はＤ端子、Ｓ端子、ＤＶＩ端子、ＲＣＡ端子、音声端子などとこれに応じたケーブルにて別途ディスプレイ装置と接続して送信することとしても良い。
【００３９】
「第三制御部」（０６０８）は、第一判断部（０６０４）での判断結果が記録されるべき情報であるとの判断結果である場合にはディスプレイ通信手段（０６０７）を介して接続されているディスプレイ装置の電源を制御するように構成されている。第一判断部での判断結果が記録されるべき情報であるとの判断結果である場合には、実施形態１にて記載したとおり電源部（０６０１）は通常電源供給状態となる。そして、電源部が通常電源供給状態となると、第三制御部により、ディスプレイ装置の電源を通常電源供給状態とするための制御信号が出力される。ディスプレイ通信手段を介して接続されているディスプレイ装置では、電源の制御信号を受信すると、これを検知して電源を通常電源供給状態とする。
【００４０】
「第四制御部」（０６０９）は、第一判断部（０６０４）での判断結果が記録されるべき情報であるとの判断結果である場合にはディスプレイ通信手段（０６０７）を介して接続されているディスプレイ装置の入力ラインを制御するように構成されている。ディスプレイ装置の入力ラインとは、ディスプレイ装置に表示させる信号の入力のための端子又はケーブルをいう。第一判断部での判断結果が記録されるべき情報であるとの判断結果である場合には、上記のとおり電源部（０６０１）は通常電源供給状態となる。そして、電源部が通常電源供給状態となると、第四制御部により、ディスプレイ通信手段を介して記録装置とディスプレイ装置が接続されているディスプレイ装置の端子を入力ラインとして選択するように制御する。このようにして第四制御部により入力ラインが制御されると、第一判断部での判断結果が記録されるべき情報であるとの判断結果である場合には、記録装置の通信部にて受信した情報が即座にディスプレイ装置に表示されることとなる。なお、ディスプレイ通信手段がＨＤＭＩ端子やｉ．Ｌｉｎｋ端子とこれに対応するケーブルである場合には、第四制御部では、これらの端子で接続されているラインを入力ラインとして選択するように制御する。しかし、制御信号と映像信号等が別々の端子及びケーブルで接続されている場合には、第四制御部では、記録装置からディスプレイ装置へ映像信号や音声信号を送信するために接続されている端子又はケーブルを入力ラインとして選択するように制御することとなる。
【００４１】
（実施形態２の具体例）図７に本実施形態の記録装置のハードウェア構成の一例を示す。本記録装置の構成要素である各部は、ハードウェアとハードウェア上で実行可能なソフトウェアからなる。ハードウェアとしては、演算処理を行うＣＰＵ（０７０１）、ソフトウェアを一時的に展開したり各データを一時的に記録したりするためのＲＡＭ（０７０２）、読取専用のプログラムなどを記録するためのＲＯＭ（０７０３）、電子データ等を記録するためのＨＤＤ（０７０４）、ＩｒＤＡやＩｒＳｉｍｐｌｅなどの赤外線規格に準じた信号を受信する赤外線受光部（０７０５）、商用電源に接続されたＡＣアダプタに接続され、各構成部品に電源を供給するための電源ユニット（０７０６）と、ディスプレイ装置と接続するためのＨＤＭＩ端子（０７０７）等と、これらの各部を接続するためのシステムバス（０７０８）にて構成される。
【００４２】
また、ソフトウェアとしては、赤外線受光部に受信された情報が、ＲＯＭに記録されるべき情報であるかを判断する第一判断プログラム（０７０９）、第一判断プログラムの判断結果に応じて電源ユニットの状態を切り換える第一制御プログラム（０７１０）、赤外線ユニットにて受信した情報をＨＤＤに記録する制御を行う第二制御プログラム（０７１１）、ＨＤＭＩ端子を介して接続されたディスプレイ装置の電源制御信号を出力する第三制御プログラム（０７１２）等である。また、ＨＤＭＩ端子を介して接続されたディスプレイ装置の入力ライン制御信号を出力する第四制御プログラム（０７１３）を有していても良い。これらのプログラムは、ＲＯＭ（０７０３）の所定のアドレスＡ１、Ａ２、Ａ３、Ａ４、Ａ５に格納されており、必要に応じてＲＡＭ（０７０２）の所定のアドレスａ１、ａ２、ａ３、ａ４、ａ５に展開されて、ＣＰＵ（０７０１）による演算処理により動作する。
【００４３】
本記録装置の構成要件である電源部は電源ユニットに該当し、記録部はＨＤＤ又はＲＡＭに該当し、通信部は赤外線受光部が該当し、ディスプレイ通信手段はＨＤＭＩ端子に該当し、第一判断部は第一判断プログラム及び該プログラムを動作させるためのＣＰＵ及びＲＡＭ及びＲＯＭに該当し、第一制御部は第一制御プログラム及び該プログラムを動作させるためのＣＰＵ及びＲＡＭ及びＲＯＭに該当し、第二制御部は第二制御プログラム及び該プログラムを動作させるためのＣＰＵ及びＲＡＭ及びＲＯＭに該当し、第三制御部は第三制御プログラム及び該プログラムを動作させるためのＣＰＵ及びＲＡＭ及びＲＯＭに該当し、第四制御部は第四制御プログラム及び該プログラムを動作させるためのＣＰＵ及びＲＡＭ及びＲＯＭに該当する。なお、図７に示した記録装置は一例であり上記構成に限られない。なお、各プログラムは、同様の機能を有する回路にて構成されていても良い。
【００４４】
以下、図７に即して本記録装置の動作を説明する。なお、本記録装置の動作は、第一判断プログラムでの判断結果が、記録領域に記録されるべき情報であると判断されて、第一制御プログラム及び第二制御プログラムによる処理が行われた場合の動作までは、実施形態１の記録その具体例と同様であるため説明を省略する。
【００４５】
本記録装置では、第一判断プログラムにて記録領域に記録すべき情報であると判断されると、さらに、ＲＯＭのアドレスＡ４に格納されている第三制御プログラムがＲＡＭのアドレスａ４に展開されて起動される。第三制御プログラムは、ＨＤＭＩケーブルにて接続されているディスプレイ装置に対して、該ディスプレイ装置の電源を制御する電源制御信号を出力する。このとき、制御信号はＣＥＣ（Consumer Electronics Control）と呼ばれる制御プロトコルで映像信号とともに伝送される。電源制御信号を受信したディスプレイ装置では、電源がＯＮの場合には特段の処理は行なわれないが、電源がＯＦＦの場合には、電源をＯＮにし、通常電源供給状態となる。
【００４６】
さらに、第四制御プログラムを有している場合には、ＲＯＭのアドレスＡ５に格納されている第四制御プログラムがＲＡＭのアドレスａ５に展開されて起動される。第四制御プログラムは、ＨＤＭＩケーブルにて接続されているディスプレイ装置に対して、該ディスプレイ装置の入力ラインを制御するライン制御信号を出力する。ディスプレイ装置は、表示する信号を入力するラインが一つのみである場合には、上記の第三制御プログラムにより電源をＯＮにされると、記録装置のＨＤＤに記録された画像データ等が直ちに表示される。しかし、ディスプレイ装置が、複数のラインを備えている場合には、ライン制御信号により、記録装置が接続されているＨＤＭＩ端子からの信号をディスプレイ表示するラインとして選択するように制御される。
【００４７】
以上のような構成を有する記録装置としてＩｒＳｉｍｐｌｅ受光部を備えたＤＶＤレコーダやビデオレコーダなどのレコーダを想定し、記録装置に情報を送信する手段としてＩｒＳｉｍｐｌｅ送信部を備えたデジタルカメラや携帯電話などの携帯端末を想定し、さらに、レコーダがテレビ受信機とＨＤＭＩケーブルにて接続されている場合について、より具体的に説明する。
【００４８】
本発明のレコーダへ携帯電話やデジタルカメラにて撮影した画像データを送信する場合、レコーダの電源がＯＮ（電源供給状態）であるかＯＦＦ（電源待機状態）であるかを気にせずにユーザはＩｒＳｉｍｐｌｅ送信部にてレコーダへ画像データを送信することができる。レコーダでは、電源がＯＮの場合には、ＩｒＳｉｍｐｌｅ受光部にて受信した画像データをＨＤＤなどの記録部に記録する。また、レコーダの電源がＯＦＦの場合には、レコーダは第一判断部や第一制御部により自動的に電源がＯＮとなる。そして、第二制御部により、受信した情報が記録領域に格納される。さらに、第三制御部により、テレビ受信機の電源制御信号が、ＨＤＭＩケーブルを介してレコーダからテレビ受信機へ送信され、テレビ受信機の電源がＯＮ（通常電源供給状態）となる。そして、第四制御部によりテレビ受信機の入力ライン制御信号が、ＨＤＭＩケーブルを介してレコーダからテレビ受信機へ送信され、テレビ受信機の入力ラインがＨＤＭＩケーブルを介してレコーダが接続されているラインが選択される。このため、ユーザは、携帯端末の操作だけで、記録装置の電源状態にかかわらず、携帯端末内の画像データを記録装置へ送信し、かつ記録することができるのみならず、レコーダに接続されたテレビ受信機の電源状態にかかわらず、レコーダに送信した情報を即座にテレビ受信機に表示させ、これを視聴することができる。
【００４９】
（実施形態２の処理の流れ）図８を用いて本記録装置の処理の流れを説明する。本記録装置では、まず、通信部にて情報を受信する（Ｓ０８０１）と、受信した情報が記録領域に記録されるべき情報であるか判断する（Ｓ０８０２：判断ステップ）。前記第一判断ステップでの判断結果が記録領域に記録されるべき情報であるとの判断結果であると判断された場合には、電源の状態が電源待機状態であるかを判断する（Ｓ０８０３）。電源の状態が電源待機状態である場合には、電源の状態を通常電源供給状態に切り換える（Ｓ０８０４：電源状態切換ステップ）。電源状態が通常電源供給状態となると、受信した情報を記録領域に記録させる（Ｓ０８０５：記録ステップ）。次に、前記記録装置が、ディスプレイ通信手段を介して接続されているディスプレイ装置の電源を制御する（Ｓ０８０６：ディスプレイ装置電源制御ステップ）。さらに、ディスプレイ通信手段を介して接続されているディスプレイ装置の入力ラインを制御する（Ｓ０８０７：入力ライン制御ステップ）こととしても良い。
【００５０】
（実施形態２の効果）以上のような構成をとる本実施形態の記録装置では、実施形態１の効果に加えて、第三制御部によって記録装置に接続されたディスプレイ装置の電源を制御するため、ディスプレイ装置の電源が電源ＯＦＦの場合に、ユーザがディスプレイ装置の電源をＯＮする操作をしなくても、ディスプレイ装置の電源をＯＮにすることができる。また、本記録装置では、第四制御部によってディスプレイ装置の入力ラインを制御することができるため、ユーザが記録装置に送信した情報を即座にディスプレイ装置に表示することができる。このため、ユーザは簡便な操作で記録装置へ情報を記録装置へ記録し、かつ、ディスプレイ装置に表示させて送信した情報の内容を視聴することができる。
【００５１】
≪実施形態３≫（実施形態３の概念）実施形態３について説明する。本実施形態における記録装置は、実施形態１又は２の場合と同様の概念を有するが、さらに、受信する情報の送信元の動作種別を判断することを特徴とする。
【００５２】
（実施形態３の構成）図９に本実施形態にかかる記録装置の機能ブロック図の一例を示す。本実施形態にかかる「記録装置」（０９００）は、「電源部」（０９０１）と、「記録部」（０９０２）と、「通信部」（０９０３）とからなり、さらに、「第二判断部」（０９０４）と「第五制御部」（０９０５）、又は、「第三判断部」（０９０６）と「第六制御部」（０９０７）とからなる。第二判断部と第五制御部、第三判断部と第六制御部以外の構成は実施形態１に記載の構成と同様の構成であるため説明を省略する。
【００５３】
（実施形態３の構成の説明）「第二判断部」（０９０４）は、通信部（０９０３）にて受信した情報が記録部（０９０２）に記録されるべき情報の送信元の電子機器のボタン操作に基づくものであるか判断するように構成されている。電子機器とは、デジタルカメラ、携帯電話、携帯型ゲーム機、携帯型音楽プレイヤー、ＰＤＡ、ノートパソコン等、電子データである情報を送信する手段を有する機器である。ボタン操作とは、該電子機器に備えられたボタンの操作である。すなわち、該電子機器では、ボタン操作がトリガーとなり電子データである情報を記録装置へ送信する。第二判断部では、通信部にて受信した情報に含まれる当該電子機器又はボタンの識別情報等を読み取る。そして、記録領域等に予め格納されているこれらの識別情報等と比較することで、通信部にて受信した情報が電子機器のボタン操作に基づくものであるか判断する。第二判断部にて、通信部にて受信した情報が記録部に記録されるべき情報の送信元の電子機器のボタン操作に基づくものであると判断された場合、当該情報が、ユーザによる明示のボタン操作によるものであることが分かる。すなわち、第二制御部では、通信部にて受信した情報が、ユーザが意図的に操作して送信されたものであることを判別する。
【００５４】
「第五制御部」（０９０５）は、前記第二判断部での判断結果が該当するボタン操作に基づくものであるとの判断結果であり、電源部（０９０１）の状態が電源待機状態である場合には、電源部の状態を通常電源供給状態に切り換える制御をするように構成されている。第五制御部では、第二判断部での判断結果が該当するボタン操作に基づくものであるとの判断結果の場合にのみ電源部の状態を電源待機状態から通常電源供給状態に切り換えることとしている。このため、ユーザによる明示のボタン操作による場合にのみ、電源部を電源供給状態へ切り換えることができる。
【００５５】
「第三判断部」（０９０６）は、通信部（０９０３）にて受信した情報が記録部（０９０２）に記録されるべき情報の送信元の電子機器の記憶容量が所定の条件を満たしたことに基づく情報であるか判断するように構成されている。記憶容量が所定の条件を満たしたこととは、例えば、送信元の電子機器の記憶容量が全記憶容量の数％となるなど、残り僅かとなった場合などが該当する。このような場合には、電子機器の記憶容量を確保するため、早急に電子機器の情報を他の機器に転送する必要がある。このような場合に、記憶容量が逼迫したことがトリガーとなり、記憶容量が逼迫していることを示す情報とともに電子データである情報を記録装置へ送信する。第三判断部では、通信部にて受信した情報にて、通信部にて受信した情報が送信元の電子機器の記憶容量が所定の条件を満たしたことに基づくものであるか判断する。
【００５６】
「第六制御部」（０９０７）とは、前記第三判断部での判断結果が所定の条件を満たしたことに基づく情報であるとの判断結果であり、電源部（０９０１）の状態が電源待機状態である場合には、電源部の状態を通常電源供給状態に切り換える制御をするように構成されている。第六制御部では、第三判断部での判断結果が所定の条件を満たしたことに基づくものであるとの判断結果の場合にのみ電源部の状態を電源待機状態から通常電源供給状態に切り換えることとしている。このため、電子機器の記憶容量が逼迫した場合など、情報を転送する必要性が高い場合に、電源部を電源供給状態へ切り換えることができる。
【００５７】
（実施形態３の具体例）図１０に本実施形態の記録装置のハードウェア構成を示す。本記録装置の構成要素である各部は、ハードウェアとハードウェア上で実行可能なソフトウェアからなる。ハードウェアとしては、演算処理を行うＣＰＵ（１００１）、ソフトウェアを一時的に展開したり各データを一時的に記録したりするためのＲＡＭ（１００２）、読取専用のプログラムなどを記録するためのＲＯＭ（０７０３）、電子データ等を記録するためのＨＤＤ（１００４）、ＩｒＤＡやＩｒＳｉｍｐｌｅなどの赤外線規格に準じた信号を受信する赤外線受光部（１００５）、商用電源に接続されたＡＣアダプタに接続され、各構成部品に電源を供給するための電源ユニット（１００６）と、ディスプレイ装置と接続するためのＨＤＭＩ端子（１００７）等と、これらの各部を接続するためのシステムバス（１００８）にて構成される。
【００５８】
また、ソフトウェアとしては、赤外線受光部に受信された情報がＨＤＤに記録されるべき情報の送信元の電子機器のボタン操作に基づくものであるかを判断する第二判断プログラム（１００９）と、第二判断プログラムでの判断結果に応じて電源ユニットの状態を切り換える第五制御プログラム（１０１０）、又は、赤外線受光部に受信された情報がＨＤＤに記録されるべき情報の送信元の電子機器の記憶容量が所定の条件を満たしたことに基づく情報であるかを判断する第三判断プログラム（１０１１）と、第三判断プログラムでの判断結果に応じて電源ユニットの状態を切り換える第六制御プログラム（１０１２）等である。これらのプログラムは、ＲＯＭ（１００３）の所定のアドレスＡ１、Ａ２、Ａ３、Ａ４に格納されており、必要に応じてＲＡＭ（１００２）の所定のアドレスａ１、ａ２、ａ３、ａ４に展開されて、ＣＰＵ（１００１）による演算処理により動作する。
【００５９】
本記録装置の構成要件である電源部は電源ユニットに該当し、記録部はＨＤＤ又はＲＡＭに該当し、通信部は赤外線受光部が該当し、第二判断部は第二判断プログラム及び該プログラムを動作させるためのＣＰＵ及びＲＡＭ及びＲＯＭに該当し、第五制御部は第五制御プログラム及び該プログラムを動作させるためのＣＰＵ及びＲＡＭ及びＲＯＭに該当し、第三判断部は第三判断プログラム及び該プログラムを動作させるためのＣＰＵ及びＲＡＭ及びＲＯＭに該当し、第六制御部は第六制御プログラム及び該プログラムを動作させるためのＣＰＵ及びＲＡＭ及びＲＯＭに該当する。なお、図１０に示した記録装置は一例であり上記構成に限られない。なお、各プログラムは、同様の機能を有する回路にて構成されていても良い。
【００６０】
以下、図１０に即して本記録装置の動作を説明する。なお、本記録装置の動作は、赤外線受光部にて情報を受信する動作までは、実施形態１の記録装置の具体例と同様であるため説明を省略する。
【００６１】
第二判断プログラムを有している場合には、赤外線受光部にて情報を受信すると、第二判断プログラムではこれを検知し、さらに、受信された情報の送信元の電子機器のボタン操作に基づくものであるかを判断する。送信元の電子機器からの情報に当該電子機器または当該ボタン特有の識別情報が付与されている場合には、第二判断プログラムでは、当該識別情報を検知する。第二判断プログラムでは、あらかじめＲＯＭ等に記録されている識別情報と、検知した識別情報とを比較し、両者が合致した場合には該当するボタン操作に基づくものであると判断する。
【００６２】
第二判断プログラムにて上記の判断結果が得られると、即座にＲＯＭのアドレスＡ２に格納されている第五制御プログラムがＲＡＭのアドレスａ２に展開されて起動される。そして、電源ユニットの電源状態切換回路のスイッチング動作により、電源ユニットを通常電源供給状態へ切り換える。
【００６３】
また、第三判断プログラムを有している場合には、赤外線受光部にて情報を受信すると、第三判断プログラムではこれを検知し、さらに、受信された情報の送信元の電子機器の記憶容量が所定の条件を満たしたことに基づくものであるかを判断する。送信元の電子機器の記憶容量に関する情報が受信した情報とともに送信され、または、受信した情報に含まれて送信された場合には、第三判断プログラムでは、当該所定の条件を満たしているとの情報を検知する。第三判断プログラムでは、あらかじめＲＯＭ等に記録されている所定の条件に関する情報と、検知した情報とを比較し、両者が合致した場合には、送信元の電子機器の記憶容量が所定の条件を満たしていると判断する。
【００６４】
第三判断プログラムにて上記の判断結果が得られると、即座にＲＯＭのアドレスＡ４に格納されている第六制御プログラムがＲＡＭのアドレスａ４に展開されて起動される。そして、電源ユニットの電源状態切換回路のスイッチング動作により、電源ユニットを通常電源供給状態へ切り換える。
【００６５】
（実施形態３の効果）以上のような構成をとる本実施形態の記録装置では、ユーザの明示のボタン操作や送信元の電子機器の状態に応じて記録装置の電源部を電源供給状態とすることができるため、ユーザが記録装置へ情報を送信する際に、自ら記録装置を通常電源供給状態とする手間が省け、ユーザの煩わしさを低減することができる。
【図面の簡単な説明】
【００６６】
【図１】実施形態１の概念を説明する図
【図２】実施形態１の機能ブロック図
【図３】実施形態１のハードウェア構成図
【図４】実施形態１の処理の流れを表す図
【図５】実施形態２の概念を説明する図
【図６】実施形態２の機能ブロック図
【図７】実施形態２のハードウェア構成図
【図８】実施形態２の処理の流れを表す図
【図９】実施形態３の機能ブロック図
【図１０】実施形態３のハードウェア構成図
【符号の説明】
【００６７】
０２００      記録装置
０２０１      電源部
０２０２      記録部
０２０３      通信部
０２０４      第一判断部
０２０５      第一制御部
０２０６      第二制御部
０６０７      第三制御部
０６０８      第四制御部
【図１】
2008098850.tif 000003
【図２】
2008098850.tif 000004
【図３】
2008098850.tif 000005
【図４】
2008098850.tif 000006
【図５】
2008098850.tif 000007
【図６】
2008098850.tif 000008
【図７】
2008098850.tif 000009
【図８】
2008098850.tif 000010
【図９】
2008098850.tif 000011
【図１０】
2008098850.tif 000012